(57)【特許請求の範囲】
【請求項１】
流れている印刷物を一時的に蓄える方法であって、当該方法において、その流れは、概してまっすぐな長手方向のセクションに分けられ、該セクションは貯蔵スペースに並んで配置され、そして印刷物の流れは、セクションの端と端とを縦につなぐことによって再生されるものであって、
製品ユニット（７）を形成するように、各セクションをそれぞれの搬器（５、６）に解放可能に接続し、そして、新聞の流れを再生するように、該ユニットセクションと該搬器との間の接続を解放することを特徴とする方法。
【請求項２】
搬器を、セクションの一方の長縁部に接続することを特徴とする請求項１記載の方法。
【請求項３】
搬器からぶら下がるセクションを持つユニットを、蓄えることを特徴とする請求項１または２記載の方法。
【請求項４】
それぞれの搬器上に直立するセクションを持つユニットを、蓄えることを特徴とする請求項１または２記載の方法。
【請求項５】
印刷物の背が上記搬器によって把持されるように、上記セクション内の印刷物を方向付けることを特徴とする請求項１〜４のいずれかに記載の方法。
【請求項６】
上記貯蔵スペースを形成する貯蔵装置内に、搬器を配置することを特徴とする請求項１〜５のいずれかに記載の方法。
【請求項７】
上記貯蔵装置が移送可能なものであることを特徴とする請求項６記載の方法。
【請求項８】
移送可能なカセットの形態である貯蔵装置内に、スペースが設けられることを特徴とする、請求項１〜５のいずれかに記載の方法。
【請求項９】
製品ユニットが、貯蔵装置内に配置され、そしてそこから取り去られることを特徴とする、請求項１〜５、８のいずれかに記載の方法。
【請求項１０】
搬器が、ストリップ（５）を含み、
その長さは、該ストリップがセクション（３）のそれぞれの端を越えて突出する端部（５１）を有するように、セクション（３）の長さよりも長いこと、
および、該端部（５１）が貯蔵装置（３０）内の対応する支持手段上に載ることによって、製品ユニット（７）がぶら下がっていることを特徴とする請求項１〜９のいずれかに記載の方法。
【請求項１１】
貯蔵スペースが貯蔵装置によって形成され、該貯蔵装置は支持脚部（３６）を有し、該支持脚部は、該支持脚部の足が載る面の上方に該貯蔵スペースを確立するためのものであること、および、該支持脚部（３６）は、からの貯蔵装置を移送する場合に、一方の側に移動させられて、該からのカセットが必要とする空間を減少させるものであることを特徴とする、請求項１〜１０のいずれかに記載の方法。
【請求項１２】
搬器（５、６）が１以上のクリップ（６）を含むこと、
概して平坦な新聞セクション（３）が、該セクションの一方の長縁部を、開かれた状態を維持された１つのクリップ／複数のクリップ（６）内へ挿入するように、搬器（５、６）に対して横方向に移動され、その後、該１つのクリップ／複数のクリップは、該セクション（３）を該搬器に固定するように閉じられること、
該セクション（３）は、逆の手順によって、該搬器（５、６）から解放されること、
を特徴とする、請求項１〜１１のいずれかに記載の方法。
【請求項１３】
流れている（２）印刷物の一時的な貯蔵のための装置であって、該流れ（２）を概してまっすぐな別個の長手方向のセクション（３）に分けるための手段（４０）と、該セクション（３）を並んだ関係にて蓄えるための貯蔵装置（３０）と、前記セクション（３）を端と端とをつなぐことによって流れ（２）を再び作るための手段（４０’）とを含み、
各セクション（３）を搬器（５、６）に解放可能に接続して製品ユニット（７）を形成する手段（４）であって、該ユニットではセクション（３）内の印刷物が搬器（５、６）に対して固定されている該手段（４）と、
搬器（５、６）からセクション（３）を分離するための手段（４’）とを、特徴とする装置。
【請求項１４】
貯蔵スペースが、移送可能な貯蔵カセット（１３）内に設けられ、該貯蔵カセットが、複数の搬器を収容し得ることを特徴とする、請求項１３記載の装置。
【請求項１５】
搬器（５、６）が、１以上のクリップファスナー（６）を有するストリップ（５）を含むことを特徴とする、請求項１３または１４記載の装置。
【請求項１６】
カセット（３０）が支持脚部を有し、該脚部（３６）が支えて抗する面と、搬器が該カセットと接続される場所との間に、該支持脚部が、自由なユニット貯蔵スペースを定めていること、および、からのカセットが要する、空間の減少を可能とするように、該支持脚部が移動可能に取り付けられていることを特徴とする、請求項１３〜１５のいずれかに記載の装置。
【請求項１７】
カセット（３０）が移送ハンドリング手段（３２）を含むことを特徴とする、請求項１４〜１６のいずれかに記載の装置。
【請求項１８】
カセット（３０）が、セクション（３）のそれぞれの端部を越えて突出する搬器端部（５１）を支持するための互いに別々の支持受け面（３３）を有することを特徴とする、請求項１３〜１５のいずれかに記載の装置。
【発明の詳細な説明】
【０００１】
本発明は、方法についての独立請求項の前文（プレアンブル）に規定された種類の印刷物の一時的な貯蔵のための方法に関する。
【０００２】
本発明はまた、装置についての随伴する独立請求項の前文に規定された種類の印刷物の一時的な貯蔵のための装置に関する。
【０００３】
本発明は、例えば印刷機から、例えばオーバーラップした形態で到着する印刷物（新聞）の流れが、例えばまっすぐな長手方向のセクションに分けられるという特徴、および、該セクションが貯蔵スペースに並んで配置され、印刷物の流れが該セクションの端と端とを縦につなぐことによって再生されるという特徴を有している。印刷物とは、新聞、ジャーナル、マガジンなどのような、いわゆる大きく広がる物を意味する。以下、本発明は新聞を例に挙げて論じられるが、印刷物のような通常方形の物品であって、大きく広がるもしくは平面に広がる物品に、本発明の技術が概して適用され得ることは理解されよう。
【０００４】
これらの特徴は、ＳＥ−Ｂ−４６８  ３５４から読み取ることができるが、これは、ある種の、循環連鎖によって台が上がる自動エレベーター(paternoster) 機構における、新聞の流れのいわゆる中間貯蔵を開示している。
【０００５】
ＳＥ−Ｂ−４６８  ３５４が教示する技術の持つ１つの利点は、各セクションにおける新聞の相対的な距離すなわち間隔、およびそれらのローテーションの相対的なポジションが、そのセクションでは大きく影響を受けないということである。なぜならば、前記セクションは、平坦で水平な状態で取り扱われ蓄えられるからである。印刷物、新聞の流れは、オーバーラップの助けにより、それぞれのセクションの端部をつなぐことによって、容易に再生できる。この再現された印刷物の流れは、それが一時的貯蔵ローテーションに到着したときの方向と同じ方向に、まっすぐに動かすことができる。
【０００６】
しかし、ＳＥ−Ｂ−４６８  ３５４により教示される技術が持つ重大な欠点は、装置の複雑さの割に、およびコストに割に、一時的な貯蔵容量が低いということである。さらに、基本的に固定されている装置内にセクションを貯蔵する必要がある。従って、大量の新聞を一時的に貯蔵すべき場合には、公知の技術はあまり好ましくない。さらに、公知の技術では、新聞が一時的な貯蔵施設に入れられた後、その一時的に蓄えられた新聞を移送することが不可能である。
【０００７】
結果的に、大量の新聞の一時的な蓄えが必要である場合、古くからの技術が用いられる。該技術は、新聞の流れの比較的長いセクションを、螺旋状の形態にしてロール上に巻き上げ、そして後で、貯蔵ローラーからターニングローラーへ該セクションを先ず巻き戻し、そこから次に前記セクションを、「正しい」状態で、即ち新聞の流れが貯蔵ローラーに到着した状態と同じ状態に、巻き戻して、前記新聞の流れを再生するという技術である。
【０００８】
しかし、この巻き上げ技術の１つの問題は、巻き上げロールの芯上に新聞の流れを巻き上げるために、締めつけベルトを使用することが、通常、必要であるということである。また、個々の新聞のページ数に対してベルトの張力を調節することも必要であり、そして、印刷物に関しても、新聞のあらゆるしわや汚れを回避するためにベルトの張力を調節することが必要である。さらに、ベルトまたはストラップの張力を低減しなければならず、そのことが、ロールの新聞貯蔵容量を大きく低下させる。さらに、該巻き上げ技術は、流れにおけるその長手方向の中心軸について新聞が対称であるか否かに容量が依存するという欠点をかかえている。例えば、新聞が、流れ／セクションの一方の長端部に沿って存在する側方折り目を有する場合、ロールは、その一方の側が大きく膨らみ、それがロールの貯蔵容量を低下させる。
【０００９】
従って、本発明の１つの目的は、上記の２つの概念によってもたらされる利点を合わせつつ、その欠点の少なくとも一方を回避する、新聞の一時的貯蔵のための方法および装置を提供することである。
【００１０】
この目的は、方法の独立請求項の方法を用いて達成される。
【００１１】
この目的はまた、装置の独立請求項の装置を用いて達成される。
【００１２】
本発明の実施態様は、従属請求項に規定されている。
【００１３】
本発明の中心的な特徴によれば、新聞の流れの各セクションを、搬器（キャリヤー）に解放可能に接続して製品ユニットを形成する必要がある。上記セクションに在る新聞は、それにより搬器に固定される。従って、製品ユニットは、該セクションの一体性を失うことなく、自由に方向付けられ得る。このことは、該ユニットを、それらの貯蔵および／または移送に関連して、自由に取り扱うことを可能とする。もちろん、搬器は、多くの異なる形態を有し得るが、特定の好ましい実施態様は、１つ以上のクリップまたはクランプ（これによって、上記セクションがストリップに接続され得る）を含む、長い直線状のストリップの形態を有するものである。搬器は、好ましくは、該セクションの一方の側縁部に沿って配置され、そのとき１つのクリップ／複数のクリップは、開いて該セクションの該側縁部に面した状態であり、その後、該セクションの一方の長縁部を、１つのクリップ／複数のクリップ内のある位置へ（例えばクリップの底部領域内の接合面と接触するように）へと動かすように、ストリップとセクションは平行に移動させられ、その後、クリップは閉じられる。クリップは、自身で閉じるタイプのものであってもよく、該セクションへの搬器のフィットまたは該セクションからの搬器の取り外しと関連した開放機構の助けにより一時的に開いたままとしてもよい。
【００１４】
該セクション／搬器は、約２ｍの長さを有してよく、これは、比較的多数の新聞に相当する。
【００１５】
搬器は、例えば、はと目、ショルダー、開口部等の手段を備えていてよく、これらは、搬器／製品ユニットの、把持、操作および／または締付け固定を容易にし、または、製品ユニットまたは製品ユニットグループを運ぶべき装置への、搬器／製品ユニットの締付け固定、および該装置からの搬器／製品ユニットの解放を容易にする。製品ユニットを垂直面内に方向付け、かつ、搬器／セクションの長手軸を水平面内にあるようにし、かつ、前記セクションが搬器からぶら下がるようにしながら、該製品ユニットを取り扱うのが実用的であろう。搬器が比較的小さな厚みを有する場合、製品ユニットは互いに近接して配置され得る。
【００１６】
搬器が貯蔵ユニット（カセット）内のそれぞれの保持面上に載せられ得るように、搬器またはストリップの両端部は、該セクションのそれぞれの端部をわずかに越えて延長してもよい。これらの保持面は、もちろん、ストリップの端部を受容するための溝を含んでいてもよい。貯蔵ユニット／カセットにおけるユニット間で所定の分割が確実に達成されるようにであり、前記カセットは、新聞セクションが前記ストリップから自由にぶら下がることができるように構成されている。カセットは、この目的のために十分に長い支持脚部を有してよい。カセットが、からのときに移送される場合に、該カセットが必要とする空間を減少させるように、これらの脚部は、好適には、格納可能または折り畳み可能であってよい。例えばカセットが前記製品ユニットで満たされている場合に、該カセットが積み重ね可能であることや、カセットが移送され得ることは理解されるだろう。これにより、カセットは、非常に高い製品容量を有する。従って、これらのカセット（積み重ねられている場合もある）は、フォークリフトトラック、コンテナなどのような従来の移送設備を用いて、全く違う場所（ここで、製品ユニットおよび新聞のさらなる加工や処理が行われ得る）に移送することが可能である。そのようなさらなる加工が完了した後、前記搬器から新聞セクションを解放することによって、そして前記セクションを平坦な状態でコンベヤ上に、新聞の流れを形成するように連続的に配置することによって、新聞の流れは再生され得る。所望ならば、新聞セクションを、互いにつないで、本質的に連続した流れを形成することができる。
【００１７】
カセットは、もちろん、新聞の加工または処理プラントを循環して、最終的に新聞の流れの一時的な貯蔵のために受容される場所に戻ってきてもよい。その場所では、このために、新聞の流れは一時的な貯蔵のために受容されることになっており、この目的で、新聞の流れはセクションに分けられ、該セクションは、より容易な取り扱いのために１つのそのような搬器へと接続される。例えば、セクションは、一時的な貯蔵および／または移送のために、そして、そのようなセクションの流れを再び作る前に、製品ユニットの新聞の処理や作業があるかもしれないので、カセット内に導入される。
【００１８】
さらなる実施態様の場合、もちろん、搬器は移送機器によって運んでもよい。該移送機器は、新聞セクションを該搬器へ容易に接続することを可能とするように操作または駆動され得るものである。例えば、搬器は、移送機器によって、新聞セクションが到着するステーションへと移送され、次の搬器および次のセクションが該ステーションに到着するとき、製品ユニットは、該ステーション外に移動させられるように、そこで、それぞれのセクションに接続される。
【００１９】
移送装置は、カセットから構成されてもよく、このカセットに、複数の搬器が並列および平行な関係で取り付けられ、好ましくは、その長手軸の周りで回転移動するようにも取り付けられる。
【００２０】
例えば、製品ユニットは、移送装置（例えばカセット）にぶら下がるように配置してもよく、それぞれのセクションがそれぞれの搬器からぶら下がり、搬器は、次に、移送体／貯蔵装置により搬送されてもよい。
【００２１】
または、製品ユニットは、垂直に立つように配置されてもよく、セクションの一方の長縁部が搬器に固定され、前記セクションは、搬器から斜め上方に延び、同様に方向付けされた隣接する製品ユニット内のセクションの上部平面に対して、その下部平面を載せる。前記セクション内の新聞が、その「背」が搬器によって把持されるように方向付けられた場合、例えば、新聞が新聞付録を含むかまたは新聞に付録を入れるべきときに、特定の利点が得られる。
【００２２】
本発明は、ここで、その例示的実施態様を参照して、および添付の図面もまた参照して、説明される。
【００２３】
しかし、本発明は、多くの異なる形状で実施され得、そのうち、ここで説明される実施態様は、現在好ましい実施態様であることが理解されるだろう。
【００２４】
図１は、新聞印刷機（示さず）からオーバーラップした関係にて前方へ矢印方向に移動する新聞の流れ２を示している。新聞の流れは、長手方向のセクションに適切に分けられ、そのうち、各々入れ替わりの長手方向セクション３が、装填ステーション４の方向へと、流れ２から平行に配置され、該装填ステーションへは、閉じた状態（図６、７）へとバイアスされた１以上のクリップ６を含むストリップの形態にて、搬器５も届けられる。
【００２５】
ストリップ５は、ステーション４に到着する各セクション３の一方の長端部に解放可能にフィットし、製品ユニット７を形成する。
【００２６】
それで、これら製品ユニット７は、容易に取り扱われ得る。なぜならば、搬器が、セクション３における新聞の正しい相互のポジショニングおよび方向付けを確実にするからである。該搬器は、少なくともその長手方向には剛性を有し、セクション内の新聞間の正しい本来の間隔を容易に維持することを可能とする。搬器はまた、好ましくは、前記セクションと平行でほぼそれと共通な平面において曲げ剛性を有し、その結果、前記セクションに存在する新聞はいずれの相互回転をも受けない。もちろん、搬器は、それに対して垂直でありかつ搬器の長手軸を含む平面における曲げに対して実質的に抵抗力があってもよい。
【００２７】
ストリップは、製品ユニット７が互いに近接して一緒に隣り合って置かれた場合（例えば、垂直面内にぶら下がっている場合）に、セクション３を密に詰めることができる薄さを有するのが好適である。ストリップは、取り扱い（ハンドリング）装置のための、開口部、ショルダー、はと目を備える場合、特に簡単に取り扱われ得る。しかし、ストリップにはまた、搬器を直接把持する把持装置を備えて、該装置の助けをかりて取り扱ってもよい。
【００２８】
図３は、ステーション４の一実施態様を概略的に示す図である。該ステーションは、ストリップ５を支持するベース１０を含む。クリップ６は、ストリップ５から突出するウェブ６１と、曲がった自由端部６３を有する脚部６２とを含むことが示されている。該端部６３を持ち上げ、それによって、セクションをクリップ内に挿入しまたはクリップから取り外すことが可能となるように、開放機構１１は、クリップの端部６３と係合するように適合されている。図示した場合では、前記クリップは、閉じた状態の方へバネによってバイアスされている。開放機構１１は、脚部１４を含み、該脚部１４は、１６においてアーム１５に回転可能に接続され、該アーム１５の一端部は、クリップの曲がった端部６３内に係合することができる。脚部１４は、ストリップ５の上面によりかかって支えることができる。機構１１は、アーム１５がクリップ６の端部６３との係合に入りそして係合から外れることを可能とするように往復運動が可能である。力を印加する手段が、矢印１７の方向にアーム１５をスウィングさせて、クリップ６を開くために提供されている。
【００２９】
ステーション４および機構１１に、多くの他のデザインを用いうることは、当業者には明らかである。
【００３０】
図６に示されるストリップ５は、多数のクリップ６を有し、このクリップ６は、互いに同一方向に向き、ストリップ５の一方の側面に沿って本質的に等距離を隔てて配置されている。ストリップ５は、また、一方の縁部に沿って多数の開口部２１を含み、これらの開口部２１は、ストリップ５をロッド（図示せず）上に一時的に支持して、ストリップのパックを形成し得るように働き、該パックは続いて貯蔵カセット（図４）内に挿入され得る。
【００３１】
図５は、搬器５を有する製品ユニット７を示しており、該搬器は、そのクリップ６の助けによって、新聞の流れのセクション３を運搬する。
【００３２】
図５からは、ストリップ５が、流れのセクション３のそれぞれの隣接端部を越えて突出する端部５１を有することが分かる。ストリップ５のこれらの端部５１は、ユニット７が、図４に従ってカセットに容易にぶら下げられ得るように機能する。
【００３３】
図４から分かるように、カセット３０は、フレーム３１を含み、該フレームは、フォークリフトトラックのフォークなどを受け入れるように適合された平行トンネル３２を含んでもよい。２つの互いに別々のかつ互いに平行な支持受けレール３３が、カセットのフレーム３１の下方に配置され、該支持レールには、それら各々の縦に沿って、ストリップ５の端部５１と共働するためのガイド手段３４が備えられる。ガイド手段は、平行な溝の形態をなし、該溝は、カセット内の移送ユニット７の最適なパッキング密度を与える距離にて、互いに間隔をあけて置かれる。ストリップ５の面が垂直面となるように向けられ、かつ流れ３がカセット３０によって支持されたストリップ５から垂直にぶら下がる場合に、ストリップ５は、その面において概して曲げ剛性を有するように向けられる。
【００３４】
カセットの外側の寸法、長さおよび幅は、移送ユニットに対する標準として最大の可能な程度まで選択され得る。例えば、カセット３０のサイズは、大雑把には、標準パレットのサイズの倍数であってよい。
【００３５】
図４に示すように、カセット３０には支持脚部３６が設けられてもよく、該支持脚部は、垂直に延長したポジション（図４に示す）から、カセット３０の厚みが最小化される、内側に折り畳まれたポジションまでの間を動かされ得る。
【００３６】
支持脚部３６が下方にスウィングされ、支持面上に載せられた場合、カセット３０にぶら下げられたユニット７は、前記面に接触することなく自由にぶら下がることができる。該支持面は、カセット３０の上側であってもよい。格納可能な脚部３６は、カセットが、空の状態でまたはストリップ５のみを運びながら、必要な空間を最小にして返されることを可能にする。
【００３７】
ユニット７（各ユニット７には、それぞれのセクション３の新聞が含まれている）を、該ユニットを解放した後、該セクションを一緒につないで新聞の流れを形成する前に、加工または作業してよいことを、当業者は理解するだろう。
【００３８】
図２から分かるように、一連のユニット７は、ステーション４に移動され得、そこでは、一連のストリップ５および一連のセクション３がステーション４を離れるように、ストリップが新聞セクションから取り外される。次いで、セクション３は、新聞の連続的な流れ２を形成するように、例えば、図１に示される流れ２を再び作るように、端部をオーバーラップさせてつなげることができる。
【００３９】
従って、ユニット７によって運ばれるセクションをストリップ５から分離し、前記加工や作業操作のための新聞の流れを形成するようにつなぐことができ、可能な事として、セクションを直線エッジに再びつなぐことによって、分離された幾つかの束（バッチ）がユニット７を形成し、それを順に、前記カセットを用いてそれぞれ貯蔵し移送し得るのは明白である。このことは、様々な加工状況の容量に適合された流れにおいて、および印刷する印刷機の位置から遠く離れているかもしれない場所において、新聞を加工しまた作業することを可能とする。
【００４０】
図１および２は、流れ２をセクション３に分けるための装置４０、およびセクション３をステーション４に移送するための装置４１を概略的に示す図である。ステーション４からユニット７を移送するための装置、および搬器５をステーション４に移送するための装置５２もまた、概略的に示される。対応する装置は、プライムが加えられた同様の参照番号を用いて、図２に識別されている。
【００４１】
図１は、新聞の流れ２がセクション３の２つの副流に分けられ、これらがそれぞれ個々のステーション４に送達されることを示す。この分割は、いくつかの点で有利である。一時的に貯蔵されたユニット７が、流れ２を形成するように再び一体化される場合、図２に示されるように、たった１つのステーションにおいて、都合よく達成され得る。
【図面の簡単な説明】
【図１】  図１は、流れのセクションにおいて、印刷機から到着する新聞の流れの分割を概略的に示し、これらの各々は、搬器に着脱可能に接続されて、容易に取り扱われる製品ユニットを形成する。
【図２】  図２は、各製品ユニットから搬器を取り外し、そして搬器から自由になった流れのセクションを端部と端部でつなぎ合わせて流れを形成することによる、製品ユニットの解除を概略的に示す。
【図３】  図３は、搬器および搬器開放機構を概略的に示す。
【図４】  図４は、製品ユニットの貯蔵および移送のためのカセットの、概略的な側面図である。
【図５】  図５は、製品ユニットの概略的な図である。
【図６】  図６は、搬器を上方から示している。
【図７】  図７は、搬器の端面図である。
【図１】
0004053239.tif 000002
【図２】
0004053239.tif 000003
【図３】
0004053239.tif 000004
【図４】
0004053239.tif 000005
【図５】
0004053239.tif 000006
【図６】
0004053239.tif 000007
【図７】
0004053239.tif 000008